(57)【要約】      （修正有）【課題】広告宣伝媒体に接した人に広告宣伝内容を注視させることができる視力検査表を利用した広告宣伝媒体を提供する。【解決手段】視力検査表３の少なくとも１列が、商品、役務、商標、標章、商号又はキャラクターのいずれかを表す図形（概略図、模倣図等を含む）であることを特徴とする視力検査表を利用した広告宣伝媒体１であり、前記視力検査表が、本、カタログ、ノート、ファイルノート、下敷き、封筒、書類入れ、包装体、ブックカバー又は栞の表面・裏面・内面のいずれかに表示された形態であることを特徴とする。【選択図】図１
0003139664.tif 000002
【実用新案登録請求の範囲】
【請求項１】
視力検査表の少なくとも１列が、商品、役務、商標、標章、商号又はキャラクターのいずれかを表す図形（概略図、模倣図等を含む）であることを特徴とする視力検査表を利用した広告宣伝媒体。
【請求項２】
前記図形が、視力段階毎に異なる種類の図形が表示されていることを特徴とする請求項１に記載の視力検査表を利用した広告宣伝媒体。
【請求項３】
前記図形が、上・下・右・左・斜め右上・斜め左上・斜め右下・斜め左下のいずれかの方向を示す構成であることを特徴とする請求項１に記載の視力検査表を利用した広告宣伝媒体。
【請求項４】
前記図形が、ランドルト環の円弧の開放部に相当する開放部を有することを特徴とする請求項３に記載の視力検査表を利用した広告宣伝媒体。
【請求項５】
前記図形が、ランドルト環の円弧の開放部に相当する方向を示す形状を有することを特徴とする請求項３に記載の視力検査表を利用した広告宣伝媒体。
【請求項６】
前記図形が、ランドルト環の円弧の開放部に相当する向きに図示された形状を有することを特徴とする請求項３に記載の視力検査表を利用した広告宣伝媒体。
【請求項７】
前記図形が、配管支持具の図形であることを特徴とする請求項１〜６のいずれかに記載の視力検査表を利用した広告宣伝媒体。
【請求項８】
前記配管支持具の図形が、蝶番式、組式、バネ式、バンド又はバンドを構成部品とする配管支持具の図形であることを特徴とする請求項７に記載の視力検査表を利用した広告宣伝媒体。
【請求項９】
前記図形が、商品、役務、商標、標章、商号又はキャラクターのいずれかを表す文字であることを特徴とする請求項１〜３のいずれかに記載の視力検査表を利用した広告宣伝媒体。
【請求項１０】
前記視力検査表が、紙面、樹脂面、金属面、コーティング面の如き媒体面に表示された形態であることを特徴とする請求項１〜９のいずれかに記載の視力検査表を利用した広告宣伝媒体。
【請求項１１】
前記視力検査表が、本、カタログ、ノート、ファイルノート、下敷き、封筒、書類入れ、包装体、ブックカバー又は栞の表面・裏面・内面のいずれかに表示された形態であることを特徴とする請求項１０に記載の視力検査表を利用した広告宣伝媒体。
【請求項１２】
前記視力検査表が、インターネット接続を通じてその接続が行われた情報端末機器の表示画面に表示される形態であることを特徴とする請求項１〜９のいずれかに記載の視力検査表を利用した広告宣伝媒体。
【請求項１３】
前記視力検査表が、記憶媒体に保存され、該記憶媒体の再生時に再生機器の表示画面に表示される形態であることを特徴とする請求項１〜９のいずれかに記載の視力検査表を利用した広告宣伝媒体。
【考案の詳細な説明】
【技術分野】
【０００１】
本考案は視力検査表を利用した広告宣伝媒体に関し、詳しくは広告宣伝媒体に接した人に商品を注視させることができる視力検査表を利用した広告宣伝媒体に関する。
【背景技術】
【０００２】
従来、商品や企業を相手方に強く印象付けるための広告宣伝媒体として様々なものが提案されている。例えば、新聞・雑誌・カタログ等に掲載される広告、無料で配布されるポケットティッシュやパンフレット・カタログ等に掲載される広告、駅や繁華街等に設置される広告看板・ポスターや電光掲示広告・液晶画面広告等、道路を走るバスやタクシーの車体に貼付・印刷・塗装等によって施された広告や車内に貼付・設置された広告、その他、消費者が購入する商品の包装体等に印刷等された当該商品とは無関係の商品の広告、等である（特許文献１〜５等参照）。
【０００３】
【特許文献１】特開２００４−３６１８３０号
【特許文献２】登録実用新案第３０６５７７４号
【特許文献３】登録実用新案第３０９３０５５号
【特許文献４】特開２００６−２８５０６２号
【特許文献５】特開平１０−２６８８１７号
【考案の開示】
【考案が解決しようとする課題】
【０００４】
特許文献１の技術は、一般的なノートの表紙に広告宣伝の表示部を形成した構成を有するものである。
【０００５】
特許文献２の技術は、販売促進等で無料で配布等される営業用のカレンダーの七曜表を表示している部分以外の部分に広告宣伝を表示した構成を有するものである。
【０００６】
特許文献３の技術は、自動車の車体外表面に広告宣伝をシール貼付した構成を有するものである。
【０００７】
特許文献４又は５に記載の技術は、いずれも商品の包装体の表面に当該商品とは無関係の商品の広告宣伝の表示部を形成した構成を有するものである。
【０００８】
上記した従来の広告宣伝媒体は、被表示物は様々であるが、商品の広告宣伝の表示内容は単に商品の名称・写真・特徴等を示したに過ぎず、需要者・取引者・消費者等の関心をそれ程引くものとなっていないのが実状である。特に、商品そのものを表示しただけでは、関心の低い商品等の広告宣伝の場合には全く見ることもしない場合さえある。
【０００９】
そこで本考案の課題は、広告宣伝媒体に接した人に広告宣伝内容を注視させることができる視力検査表を利用した広告宣伝媒体を提供することにある。
【課題を解決するための手段】
【００１０】
上記課題を解決する本考案は下記構成を有する。
【００１１】
１．視力検査表の少なくとも１列が、商品、役務、商標、標章、商号又はキャラクターのいずれかを表す図形（概略図、模倣図等を含む）であることを特徴とする視力検査表を利用した広告宣伝媒体。
【００１２】
２．前記図形が、視力段階毎に異なる種類の図形が表示されていることを特徴とする上記１に記載の視力検査表を利用した広告宣伝媒体。
【００１３】
３．前記図形が、上・下・右・左・斜め右上・斜め左上・斜め右下・斜め左下のいずれかの方向を示す構成であることを特徴とする上記１に記載の視力検査表を利用した広告宣伝媒体。
【００１４】
４．前記図形が、ランドルト環の円弧の開放部に相当する開放部を有することを特徴とする上記３に記載の視力検査表を利用した広告宣伝媒体。
【００１５】
５．前記図形が、ランドルト環の円弧の開放部に相当する方向を示す形状を有することを特徴とする上記３に記載の視力検査表を利用した広告宣伝媒体。
【００１６】
６．前記図形が、ランドルト環の円弧の開放部に相当する向きに図示された形状を有することを特徴とする上記３に記載の視力検査表を利用した広告宣伝媒体。
【００１７】
７．前記図形が、配管支持具の図形であることを特徴とする上記１〜６のいずれかに記載の視力検査表を利用した広告宣伝媒体。
【００１８】
８．前記配管支持具の図形が、蝶番式、組式、バネ式、バンド又はバンドを構成部品とする配管支持具の図形であることを特徴とする上記７に記載の視力検査表を利用した広告宣伝媒体。
【００１９】
９．前記図形が、商品、役務、商標、標章、商号又はキャラクターのいずれかを表す文字であることを特徴とする上記１〜３のいずれかに記載の視力検査表を利用した広告宣伝媒体。
【００２０】
１０．前記視力検査表が、紙面、樹脂面、金属面、コーティング面の如き媒体面に表示された形態であることを特徴とする上記１〜９のいずれかに記載の視力検査表を利用した広告宣伝媒体。
【００２１】
１１．前記視力検査表が、本、カタログ、ノート、ファイルノート、下敷き、封筒、書類入れ、包装体、ブックカバー又は栞の表面・裏面・内面のいずれかに表示された形態であることを特徴とする上記１０に記載の視力検査表を利用した広告宣伝媒体。
【００２２】
１２．前記視力検査表が、インターネット接続を通じてその接続が行われた情報端末機器の表示画面に表示される形態であることを特徴とする上記１〜９のいずれかに記載の視力検査表を利用した広告宣伝媒体。
【００２３】
１３．前記視力検査表が、記憶媒体に保存され、該記憶媒体の再生時に再生機器の表示画面に表示される形態であることを特徴とする上記１〜９のいずれかに記載の視力検査表を利用した広告宣伝媒体。
【考案の効果】
【００２４】
請求項１に示す考案によれば、広告宣伝媒体に接した人に、広告宣伝内容を注視させることができる視力検査表を利用した広告宣伝媒体を提供することができる。
【００２５】
特に、視力検査表という注視が必要とする表示構成に、商品、役務、商標、標章、商号又はキャラクターのいずれかを表す図形である広告宣伝内容を用いたことで、視力検査表を見たときに生じる「どの程度の視力なのか知りたい・確認したい」等の自然な欲求を利用して広告宣伝内容を注視させることができる。
【００２６】
請求項２に示す考案によれば、広告宣伝媒体に接した人に、視力段階毎に異なる種類の図形を注視させることで当該図形で表示されている広告宣伝内容をより注視させることができる。
【００２７】
請求項３に示す考案によれば、広告宣伝媒体に接した人に、異なる向きに表示された図形を注視させることで当該図形で表示されている広告宣伝内容をより注視させることができる。
【００２８】
請求項４に示す考案によれば、広告宣伝媒体に接した人に、開放部がどこにあるかを注視させることで当該図形で表示されている広告宣伝内容をより注視させることができる。
【００２９】
請求項５に示す考案によれば、広告宣伝媒体に接した人に、方向を示す形状がどの方向に向いているかを注視させることで当該図形で表示されている広告宣伝内容をより注視させることができる。
【００３０】
請求項６に示す考案によれば、広告宣伝媒体に接した人に、図形の向きがどの方向に表示されているかを注視させることで当該図形で表示されている広告宣伝内容をより注視させることができる。
【００３１】
請求項７に示す考案によれば、広告宣伝媒体に接した人に、商品である配管支持具を注視させることができる。
【００３２】
請求項８に示す考案によれば、広告宣伝媒体に接した人に、商品である配管支持具のより具体的な構成を有するものを注視させることができる。
【００３３】
請求項９に示す考案によれば、広告宣伝媒体に接した人に、商品、役務、商標、標章、商号又はキャラクターのいずれかを表す文字を注視させることで広告宣伝内容を注視させることができる。
【００３４】
請求項１０に示す考案によれば、広告宣伝内容を、紙面、樹脂面、金属面、コーティング面の如き様々な媒体面に表示させることで、広告宣伝媒体に接した人に、広告宣伝内容を注視させることができる。
【００３５】
請求項１１に示す考案によれば、広告宣伝内容を、本、カタログ、ノート、ファイルノート、下敷き、封筒、書類入れ、包装体、ブックカバー又は栞の表面・裏面・内面の如き様々な媒体に表示させることで、広告宣伝媒体に接した人に、広告宣伝内容を注視させることができる。
【００３６】
請求項１２に示す考案によれば、広告宣伝内容を、インターネット接続を通じて情報端末機器の表示画面に表示させることで、広告宣伝媒体に接した人に、広告宣伝内容を注視させることができる。
【００３７】
請求項１３に示す考案によれば、広告宣伝内容を保存した記憶媒体を再生することで再生機器の表示画面に表示させることで、広告宣伝媒体に接した人に、広告宣伝内容を注視させることができる。
【考案を実施するための最良の形態】
【００３８】
次に、添付の図面に従って本考案を詳細に説明する。
【００３９】
図１は本考案に係る視力検査表を利用した広告宣伝媒体の一実施例を示す斜視図、図２〜図４は各々視力検査表に用いられる図形の他の実施例を示す概略説明図、図５は本考案に係る視力検査表を利用した広告宣伝媒体の他の実施例を示す正面図、図６及び図７は本考案に係る視力検査表を利用した広告宣伝媒体の他の実施例を示す概略説明図である。
【００４０】
図１に示すように、本考案に係る視力検査表を利用した広告宣伝媒体（以下、単に広告宣伝媒体ということもある。）１は、ノート２の表紙２１に表示された視力検査表３が表示されたものであり、該視力検査表３に表示された複数列（本実施例では３列）の図形３１の少なくとも１列（本実施例では右側の１列のみ）が商品を表す図形となっている。
【００４１】
尚、図１において、符号３２は０．１〜１．０（検査距離３ｍ）及び０．０１〜０．１（検査距離３０ｃｍ）の複数段階の視力表示（検査距離３ｍにおける０．４〜０．９及び検査距離３０ｃｍにおける０．０４〜０．０９については図示を省略。図２〜図５についても同様。）、符号３３は視力検査表３の使い方や注意文等を説明する説明文である。
【００４２】
説明文３３としては、例えば、「視力０．１〜１．０を検査する時は３ｍの距離から検査して下さい。視力０．０１〜０．１を検査すると時は３０ｃｍの距離から検査して下さい。」や「簡単版であり正確な視力測定とは限りません。正確な視力検査は専門の診療機関等で検査して下さい。」等の使い方等が表示される。
【００４３】
視力表示３２は、本実施例では０．１〜１．０（検査距離３ｍ）と０．０１〜０．１（検査距離３０ｃｍ）としているが、本考案はかかる視力表示に限らず、視力２．０まで測定可能な構成としてもよいし、更に部分的な視力に限定した構成や他の構成としてもよい。
【００４４】
図１に示す実施例では、図形３１として、左側の列に静止視力を測定する図形として広く用いられているランドルト環３１Ａを表示し、中央の列にカタカナ文字３１Ｂを表示し、右側の列に商品図形３１Ｃを表示している。該商品図形３１Ｃは、上・下・右・左・斜め右上・斜め左上・斜め右下・斜め左下のいずれかの方向を示す構成となっている。
【００４５】
商品図形３１Ｃは、配管支持具の分野の商品である配管支持バンドの図形であり、配管を抱持させるために挿通する抱持バンド部の開放部が、ランドルト環３１Ａの円弧の開放部に相当する図形となっている。従って、視力検査の際には、指し示されたランドルト環３１Ａの開放部の方向を回答することで視力を測定する場合と同様に、商品図形３１Ｃの配管支持バンドの抱持バンドの開放部の方向を回答することで視力測定を行うことができる。
【００４６】
視力検査表３に表示される図形３１としては、商品図形３１Ｃのような商品に限らず、役務、商標、標章、商号、キャラクターを表す図形等が挙げられる。表示される図形３１の形態としては、詳細図形、写実図形に限らず、概略図や模倣図、簡略図等であってもよいし、写真であってもよい。
【００４７】
視力検査表３を媒体であるノート２の表紙２１に表示する手段としては、表紙２１に直接印刷してもよいし、他の紙や樹脂等のシート状ないしフィルム状の媒体に印刷等したものを表紙２１の表面に貼付してもよい。
【００４８】
以上の構成を有する視力検査表を利用した広告宣伝媒体１は、視力検査表を見たときに生じる当該広告宣伝媒体１に接した人が視力検査表を見たときに生じる「どの程度の視力なのか知りたい・確認したい」等の自然な欲求を利用して広告宣伝内容を注視させることができる。
【００４９】
以上、本考案に係る視力検査表を利用した広告宣伝媒体の一実施例について説明したが、本考案は上記に限定されず、例えば、下記するような種々の態様を採ることができる。
【００５０】
視力検査表３に表示される図形３１としては、図１に商品図形３１Ｃとして示した構成の配管支持バンドに限らず、蝶番式、組式、バネ式、バンド又はバンドを構成部品とする種々公知の配管支持具であればよく、例えば、図２及び図３に示す構成とすることもできる。
【００５１】
図２に示す図形３１は、ランドルト環３１Ａの円弧の開放部に相当する方向を示す構成の配管支持具を表示したものである。図２に示す態様では、商品図形３１Ｃである配管支持バンドの抱持バンド部が蝶番式の構成を有するものであり、この蝶番部の形成位置がランドルト環３１Ａの円弧の開放部に相当する方向を示す構成となっている。
【００５２】
図３に示す図形３１は、ランドルト環３１Ａの円弧の開放部に相当する向きに図示された構成の配管支持具を表示したものである。図３に示す態様では、商品図形３１Ｃが配管支持具の商品の分野のＵ字バンドの図形であり、該Ｕ字バンドの図形の向きを上下左右及び斜め方向に表示させることでランドルト環３１Ａの円弧の開放部に相当する方向を示す構成となっている。視力検査の際には、配管を抱持させるために挿通するＵ字バンドの開放部の向きを回答することで視力測定を行うことができる。
【００５３】
視力検査表３に表示される図形３１は、配管支持具以外の商品であってもよいことは勿論であり、広告宣伝内容に応じて様々な商品の図形を表示することができる。
【００５４】
また、視力検査表３に表示される図形３１は、商品に限らず、役務、商標、標章、商号又はキャラクター等の広告宣伝に利用できる他の図形を表示することができる。例えば、図４に示す図形３１は、上・下・右・左・斜め右上・斜め左上・斜め右下・斜め左下のいずれかの方向を示すように表示したロゴマーク３１Ｄである。
【００５５】
更に、視力検査表３に表示される図形３１は、視力段階毎に異なる種類の図形を表示した構成とすることもできる。例えば、図５に示す右側列の図形３１は、ロゴマーク３１Ｄ（視力０．１又は０．０１）、キャラクター図形３１Ｅ（視力０．２又は０．０２）、商品図形３１Ｃ（視力０．３又は０．０３）・・・・商品図形３１Ｃ（視力１．０又は０．１）となっている。
【００５６】
更にまた、視力検査表３に表示される図形３１は、概略図・模倣図・写真等の図に限らず、商品、役務、商標、標章、商号又はキャラクターのいずれかを表す文字とすることもできる。例えば、図５に示す中央列の図形３１は、本出願人の商号と商品の宣伝を兼ねた文字列であるカタカナ文字３１Ｂとなっている。尚、図形３１を文字とする場合、カタカナ文字３１Ｂに限らず、平仮名、漢字、アルファベット、ギリシャ文字等の他国文字等とすることもできる。
【００５７】
前述した図１に示す実施例は、広告宣伝媒体１はノート２の表紙２１に視力検査表３を表示した構成を有するものであるが、本考案はノート２に限らず、他の物品等（例えば、本、カタログ、ファイルノート、下敷き、封筒、書類入れ、包装体、ブックカバー又は栞等）の表面・裏面・内面等に視力検査表３が表示された構成とすることもできる。例えば、図５に示す広告宣伝媒体１は、ファイルノート４に表示された構成である。尚、栞のような小サイズの物品に視力検査表３を表示する場合、図形３１のみの１列表示としてもよい。
【００５８】
視力検査表３の表示手段としては、前述した図１に示す実施例では、媒体であるノート２の表紙２１に直接又は間接的に印刷等によって紙面に表示した構成を有するものであるが、本考案は紙面への表示に限らず、樹脂面、金属面、コーティング面の如き様々な媒体面に表示した構成とすることもできる。例えば、図５に示すファイルノート４の場合では印刷の他、転写や塗付等によって表示することもできる。
【００５９】
更に本考案に係る視力検査表を利用した広告宣伝媒体は、例えば、図６及び図７に示すように情報端末機器や再生機器の表示画面に表示する構成を採ることもできる。
【００６０】
図６は、インターネット回線を介しての接続を通じてその接続が行われた情報端末機器５の表示画面５１に視力検査表を表示する構成である。
【００６１】
図７は、ＵＳＢメモリやＣＤ、ＤＶＤ等の記憶媒体７に視力検査表を保存し、該記憶媒体の再生時に再生機器６の表示画面６１に視力検査表を表示する構成である。再生機器６としては、パソコン、ＤＶＤプレーヤーやその他の各種メディアプレーヤー、ＴＶ等を挙げることができる。
【図面の簡単な説明】
【００６２】
【図１】本考案に係る視力検査表を利用した広告宣伝媒体の一実施例を示す斜視図
【図２】視力検査表に用いられる図形の他の実施例を示す概略説明図
【図３】視力検査表に用いられる図形の他の実施例を示す概略説明図
【図４】視力検査表に用いられる図形の他の実施例を示す概略説明図
【図５】本考案に係る視力検査表を利用した広告宣伝媒体の他の実施例を示す正面図
【図６】本考案に係る視力検査表を利用した広告宣伝媒体の他の実施例を示す概略説明図
【図７】本考案に係る視力検査表を利用した広告宣伝媒体の他の実施例を示す概略説明図
【符号の説明】
【００６３】
１  視力検査表を利用した広告宣伝媒体
２  ノート
２１  表紙
３  視力検査表
３１  図形
３１Ａ  ランドルト環
３１Ｂ  カタカナ文字
３１Ｃ  商品図形
３１Ｄ  ロゴマーク
３１Ｅ  キャラクター図形
３２  視力表示
３３  説明文
４  ファイルノート
５  情報端末機器
５１  表示画面
６  再生機器
６１  表示画面
７  記憶媒体
【図１】
0003139664.tif 000003
【図２】
0003139664.tif 000004
【図３】
0003139664.tif 000005
【図４】
0003139664.tif 000006
【図５】
0003139664.tif 000007
【図６】
0003139664.tif 000008
【図７】
0003139664.tif 000009
【手続補正書】
【提出日】平成19年12月12日(2007.12.12)
【手続補正１】
【補正対象書類名】実用新案登録請求の範囲
【補正対象項目名】全文
【補正方法】変更
【補正の内容】
【実用新案登録請求の範囲】
【請求項１】
本、カタログ、ノート、ファイルノート、下敷き、封筒、ファイリング用具、包装用紙、包装用箱、包装用袋、ブックカバー又は栞のいずれかである媒体の表面・裏面・内面のいずれかに表示された視力検査表の表示の少なくとも１列が、商品、役務、商標、標章、商号又はキャラクターのいずれかを表す図形（概略図、模倣図等を含む）であることを特徴とする視力検査表を利用した広告宣伝媒体。
【請求項２】
前記図形が、視力段階毎に異なる種類の図形が表示されていることを特徴とする請求項１に記載の視力検査表を利用した広告宣伝媒体。
【請求項３】
前記図形が、上・下・右・左・斜め右上・斜め左上・斜め右下・斜め左下のいずれかの方向を示す構成であることを特徴とする請求項１に記載の視力検査表を利用した広告宣伝媒体。
【請求項４】
前記図形が、ランドルト環の円弧の開放部に相当する開放部を有することを特徴とする請求項３に記載の視力検査表を利用した広告宣伝媒体。
【請求項５】
前記図形が、ランドルト環の円弧の開放部に相当する方向を示す形状を有することを特徴とする請求項３に記載の視力検査表を利用した広告宣伝媒体。
【請求項６】
前記図形が、ランドルト環の円弧の開放部に相当する向きに図示された形状を有することを特徴とする請求項３に記載の視力検査表を利用した広告宣伝媒体。
【請求項７】
前記図形が、配管支持具の図形であることを特徴とする請求項１〜６のいずれかに記載の視力検査表を利用した広告宣伝媒体。
【請求項８】
前記配管支持具の図形が、蝶番式、組式、バネ式、バンド又はバンドを構成部品とする配管支持具の図形であることを特徴とする請求項７に記載の視力検査表を利用した広告宣伝媒体。
【請求項９】
前記図形が、商品、役務、商標、標章、商号又はキャラクターのいずれかを表す文字であることを特徴とする請求項１〜３のいずれかに記載の視力検査表を利用した広告宣伝媒体。
【請求項１０】
前記視力検査表が、紙面、樹脂面、金属面、コーティング面の如き媒体面に表示された形態であることを特徴とする請求項１〜９のいずれかに記載の視力検査表を利用した広告宣伝媒体。
【手続補正２】
【補正対象書類名】明細書
【補正対象項目名】００１１
【補正方法】変更
【補正の内容】
【００１１】
１．本、カタログ、ノート、ファイルノート、下敷き、封筒、ファイリング用具、包装用紙、包装用箱、包装用袋、ブックカバー又は栞のいずれかである媒体の表面・裏面・内面のいずれかに表示された視力検査表の表示の少なくとも１列が、商品、役務、商標、標章、商号又はキャラクターのいずれかを表す図形（概略図、模倣図等を含む）であることを特徴とする視力検査表を利用した広告宣伝媒体。
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】変更
【補正の内容】
【００２２】
本考案の参考例は下記（１）及び（２）を含む。
（１）前記視力検査表が、インターネット接続を通じてその接続が行われた情報端末機器の表示画面に表示される形態であることを特徴とする上記１〜９のいずれかに記載の視力検査表を利用した広告宣伝媒体。
【手続補正５】
【補正対象書類名】明細書
【補正対象項目名】００２３
【補正方法】変更
【補正の内容】
【００２３】
（２）前記視力検査表が、記憶媒体に保存され、該記憶媒体の再生時に再生機器の表示画面に表示される形態であることを特徴とする上記１〜９のいずれかに記載の視力検査表を利用した広告宣伝媒体。
【手続補正６】
【補正対象書類名】明細書
【補正対象項目名】００３５
【補正方法】削除
【補正の内容】
【手続補正７】
【補正対象書類名】明細書
【補正対象項目名】００３６
【補正方法】変更
【補正の内容】
【００３６】
参考例（１）によれば、広告宣伝内容を、インターネット接続を通じて情報端末機器の表示画面に表示させることで、広告宣伝媒体に接した人に、広告宣伝内容を注視させることができる。
【手続補正８】
【補正対象書類名】明細書
【補正対象項目名】００３７
【補正方法】変更
【補正の内容】
【００３７】
参考例（２）によれば、広告宣伝内容を保存した記憶媒体を再生することで再生機器の表示画面に表示させることで、広告宣伝媒体に接した人に、広告宣伝内容を注視させることができる。
【手続補正９】
【補正対象書類名】明細書
【補正対象項目名】００３９
【補正方法】変更
【補正の内容】
【００３９】
図１は本考案に係る視力検査表を利用した広告宣伝媒体の一実施例を示す斜視図、図２〜図４は各々視力検査表に用いられる図形の他の実施例を示す概略説明図、図５は本考案に係る視力検査表を利用した広告宣伝媒体の他の実施例を示す正面図、図６及び図７は本考案に係る視力検査表を利用した広告宣伝媒体の参考例を示す概略説明図である。
【手続補正１０】
【補正対象書類名】明細書
【補正対象項目名】００５７
【補正方法】変更
【補正の内容】
【００５７】
前述した図１に示す実施例は、広告宣伝媒体１はノート２の表紙２１に視力検査表３を表示した構成を有するものであるが、本考案はノート２に限らず、本、カタログ、ノート、ファイルノート、下敷き、封筒、ファイリング用具、包装用紙、包装用箱、包装用袋、ブックカバー又は栞のいずれかの表面・裏面・内面に視力検査表３が表示された構成とすることもできる。例えば、図５に示す広告宣伝媒体１は、ファイルノート４に表示された構成である。尚、栞のような小サイズの物品に視力検査表３を表示する場合、図形３１の１列表示としてもよい。
【手続補正１１】
【補正対象書類名】明細書
【補正対象項目名】００５９
【補正方法】変更
【補正の内容】
【００５９】
更に本考案に係る視力検査表を利用した広告宣伝媒体は、例えば、図６及び図７に参考例として示すように情報端末機器や再生機器の表示画面に表示する構成を採ることもできる。
【手続補正１２】
【補正対象書類名】明細書
【補正対象項目名】００６２
【補正方法】変更
【補正の内容】
【００６２】
【図１】本考案に係る視力検査表を利用した広告宣伝媒体の一実施例を示す斜視図
【図２】視力検査表に用いられる図形の他の実施例を示す概略説明図
【図３】視力検査表に用いられる図形の他の実施例を示す概略説明図
【図４】視力検査表に用いられる図形の他の実施例を示す概略説明図
【図５】本考案に係る視力検査表を利用した広告宣伝媒体の他の実施例を示す正面図
【図６】本考案に係る視力検査表を利用した広告宣伝媒体の参考例を示す概略説明図
【図７】本考案に係る視力検査表を利用した広告宣伝媒体の参考例を示す概略説明図
【手続補正１３】
【補正対象書類名】図面
【補正対象項目名】図４
【補正方法】変更
【補正の内容】
【図４】
0003139664.tif 000010
【手続補正１４】
【補正対象書類名】図面
【補正対象項目名】図５
【補正方法】変更
【補正の内容】
【図５】
0003139664.tif 000011
【手続補正１５】
【補正対象書類名】図面
【補正対象項目名】図６
【補正方法】変更
【補正の内容】
【図６】
0003139664.tif 000012
【手続補正１６】
【補正対象書類名】図面
【補正対象項目名】図７
【補正方法】変更
【補正の内容】
【図７】
0003139664.tif 000013